(57)【特許請求の範囲】
【請求項１】
画像形成装置本体の排出部から排出される画像形成済み用紙をストックするトレイを有し、複数のサイズの異なる用紙に対して画像形成が可能な画像形成装置にして、前記画像形成装置本体の上部に所定サイズまでの画像形成済み用紙をストックする第１トレイと、前記所定サイズより大きいサイズの画像形成済み用紙をストックする第２トレイとを有し、該第２トレイが、画像形成済み用紙の排出方向において第１トレイの下流側で、かつ第１トレイよりも下方の前記画像形成装置本体側部に配置され、所定サイズより大きいサイズの画像形成済み用紙が第２トレイと第１トレイとに跨った状態でストックするような画像形成装置において、
前記画像形成装置本体の上部に開閉可能な上カバー部材が設けられ、該上カバー部材が開放される中間位置において前記第２トレイの上端に当接されて支持されることを特徴とする画像形成装置。
【請求項２】
請求項１に記載の画像形成装置において、前記第２トレイが回動可能に画像形成装置本体に装着され、該第２トレイを回動してその外側側面で前記上カバー部材を受ける位置に移動することにより、前記上カバーが第２トレイによって全開位置で支持されることを特徴とする画像形成装置。
【請求項３】
請求項２に記載の画像形成装置において、全開位置で支持された前記上カバー部材を前記第２トレイから離すことにより、当該第２トレイが自重で用紙を受ける初期位置に復帰されることを特徴とする画像形成装置。
【発明の詳細な説明】
【０００１】
【発明の属する技術分野】
本発明は、画像形成装置本体の排出部から排出される画像形成済み用紙をストックするトレイを有し、複数のサイズの異なる用紙に対して画像形成が可能な複写機等の画像形成装置に関するものである。
【０００２】
【従来の技術】
従来、Ａ１サイズの如き大型サイズの原稿を複写できる複写機が種々提案されており、原稿像を感光紙であるコピー用紙に複写するジアゾ複写機もその代表的なものである。従来良く見掛けるジアゾ複写機では、原稿の排出後に排出されるコピー用紙が機械本体の手前側に排紙されるものか、もしくは機械本体の後側に排紙されるものであった。
【０００３】
【発明が解決しようとする課題】
しかしながら、コピー用紙が機械本体の手前側に排紙される複写機では大型サイズのコピー用紙を受けるトレイ等を設けることができないので、先に排出された原稿を手で持ちながら、排出されるコピー用紙を待ち、そのコピー用紙が出てくると、それが床面に落下する前に取らなければならないという煩わしさがあった。
【０００４】
また、コピー用紙が機械本体の後側に排紙される複写機では床面に落下したコピー用紙を受けるためのテーブル等を配置しているものが多い。したがって排出される出てくるコピー用紙を待ち受ける必要がないが、コピー用紙を取る度に屈み込むので、前者と同様に煩わしく、操作性が悪いという不具合があった。
【０００５】
本発明は、上記した従来の事情に鑑み、大型用紙でも画像形成装置本体上にストックでき、操作性の良い画像形成装置を提供することを目的とする。
【０００６】
【課題を解決するための手段】
上記の目的を達成するため、本発明は、画像形成装置本体の排出部から排出される画像形成済み用紙をストックするトレイを有し、複数のサイズの異なる用紙に対して画像形成が可能な画像形成装置にして、前記画像形成装置本体の上部に所定サイズまでの画像形成済み用紙をストックする第１トレイと、前記所定サイズより大きいサイズの画像形成済み用紙をストックする第２トレイとを有し、該第２トレイが、画像形成済み用紙の排出方向において第１トレイの下流側で、かつ第１トレイよりも下方の前記画像形成装置本体側部に配置され、所定サイズより大きいサイズの画像形成済み用紙が第２トレイと第１トレイとに跨った状態でストックするような画像形成装置において、前記画像形成装置本体の上部に開閉可能な上カバー部材が設けられ、該上カバー部材が開放される中間位置において前記第２トレイの上端に当接されて支持されることを特徴としている。
【０００８】
さらに、本発明は、前記第２トレイが回動可能に画像形成装置本体に装着され、該第２トレイを回動してその外側側面で前記上カバー部材を受ける位置に移動することにより、前記上カバー部材が第２トレイによって全開位置で支持されると、効果的である。
【０００９】
さらにまた、本発明は、全開位置で支持された前記上カバー部材を前記第２トレイから離すことにより、当該第２トレイが自重で用紙を受ける初期位置に復帰されると、効果的である。
【００１０】
【発明の実施の形態】
以下、本発明の実施の形態を添付図面に従って説明する。
図１は、本発明に係る画像形成装置の一例としてジアゾ複写機を示す外観斜視図、図２はその裏面側の外観斜視図、図３はその複写機の側面図である。
【００１１】
図１ないし図３において、符号１は複写機本体であり、複写機本体１の手前側には原稿挿入テーブル２が設けられ、さらに複写機本体１の手前側には原稿排出口３が設けられている。また、コピー用紙は複写機本体１の上部に設けられたコピー用紙排出口４から排出され、コピー用紙はコピー用紙排出口４から斜め上方で手前側から後側に向けて排出するように構成されている。さらに、複写機本体１の上部にはコピー用紙排出口４に続いて第１トレイ５が配設されており、第１トレイ５は上カバー部材としての本体上カバー６に取り付けられている。
【００１２】
ところで、本実施の形態の複写機はＡ１サイズの原稿を等倍で複写することができる大型機であるが、上記第１トレイ５はＡ２サイズまでのコピー用紙しかストックすることができない。すなわち、第１トレイ５によってＡ１サイズのコピー用紙Ｐをもストックできるようにすると、非常に大きなトレイが必要になり、スペース等の点から採用することができない。
【００１３】
そこで、本発明ではＡ１サイズのコピー用紙Ｐを第１トレイ５と跨ってストックすることが可能な第２トレイ７を、コピー排出方向にて第１トレイ５の下流側に設けている。この第２トレイ７は、図２及び図３に示すように、複写機本体１の後部側板８の下部近くに設けられ、該第２トレイ７の位置はＡ１サイズの用紙Ｐの先端が当接したとき後端側が第１トレイ５に止まる位置になるように設定されている。なお、上記第１トレイ５と第２トレイ７は本実施の形態の場合、剛性のある針金状の材料から作られているが、これらトレイはプラスチック等で板状に形成したものであっても良い。
【００１４】
このように構成された複写機は、Ａ２サイズまでのコピー用紙が使用された場合にはコピー用紙排出口４から排出されたコピー用紙はすべて第１トレイ５にストックされる。そして、Ａ１サイズのコピー用紙Ｐが使用された場合、コピー用紙排出口４から排出されると、コピー用紙Ｐはその先端が第１トレイ５を通過し、さらに排出が進むにつれてコピー用紙Ｐはその先端が自重で垂れ下がり、複写機本体１の後部側板８に沿って降下する。そして、コピー用紙Ｐはその後端がコピー用紙排出口４から排出されたときに、その先端が第２トレイ７に当接され、これによってコピー用紙Ｐは図３に示すように、第１トレイ５と第２トレイ７とに跨った状態で静止することになる。
【００１５】
このようにして、Ａ１サイズのような大きなコピー用紙Ｐであっても複写機本体１にストックすることが可能となり、ユーザーは片手で原稿を持ちながら、その後に排出されるコピー用紙を待つという煩わしさ解消される。さらに、Ａ１サイズのコピー用紙Ｐがストックされている状態で、次のコピーを行ってもそのコピー用紙はストックされている用紙の上を通過して、同様に第１トレイ５と第２トレイ７とに跨った状態でストックされる。
【００１６】
ところで、複写機本体１はジャム処理やメンテナンスのため、本体上カバー６が該本体に対し開閉可能に装着されている。この本体上カバー６は、前端がコピー用紙排出口４、もしくはその近傍で、後端は途中で折れ曲がって後部側板８の適宜な位置まで達している。そして、この本体上カバー６は図４に示すように、その後部側端部で複写機本体１と支点９を介して回動されるように設けられている。
【００１７】
ここで、ジャム処理等で行うため、本体上カバー６を、支点９を中心に回動して開放すると、本体上カバー６は全開する途中で第２トレイ７の先端７ａに当接してそれ以上の開放が阻止される。よって、本体上カバー６がこのような回動幅でジャム処理等が行い得れば、回動幅が全開よりも少ない分、操作性がよい。さらに、複写機が熱によって画像部を発色化させる熱式ジアゾであった場合、本体上カバー６はその熱源に近いため、かなりの高温になってしまう可能性が大きい。よって、開放時に本体上カバー６の移動量が多いとその分それに触れて火傷する危険性が高い。しかし、上カバー６の回動が第２トレイ７で制限されれば、その分火傷の危険性を軽減することができる。
【００１８】
しかしながら、本体上カバー６の開放は幅を制限されてそのオープン角度が少ないと、ジャム紙の除去操作等がしにくい場合もある。このような場合、本体上カバー６をより大きく開放できれば有利である。
【００１９】
そこで、第２トレイ７は図５及び図６に示すように、回動支点１０を中心として後部側板８に回動自在に装着する。そして、この第２トレイ７を手動によって図の反時計方向に回動させると、図７に示すように、本体上カバー６さらに回動して第２トレイ７の後述する立ち上げ部１３の外側面に当接して静止する。このときの上カバー６は、全開状態であり、ジャム紙の取り除き処理等を行う作業性が良好になる。
【００２０】
また、第２トレイ７の形状は図５及び図６に示すように、回動支点１０から後部側板８に沿って降下する降下部１１と、該降下部１１から折れてほぼ水平なるコピー用紙の受け部１２と、該受け部１２から立ち上がって先端７ａに達する立ち上げ部１３とから構成されている。
【００２１】
このように形成された第２トレイ７は、図７に示す全開状態の本体上カバー６を受けている状態から、上カバー６を持ち上げて第２トレイ７から離れると、第２トレイ７はその自重によって回動支点１０を中心に時計方向へ自動的に回動する。そして、回動した第２トレイ７は降下部１１が後部側板８に当接してコピー用紙を受ける通常位置に保持される。
【００２２】
かくして、第２トレイ７はコピー用紙をストックする機能と本体上カバーを支える機能とを持ち、しかも第２トレイ７を回動させて本体上カバーを全開位置で支持させた後、上カバー６を持ち上げて離せば第２トレイ７が自動的にストック位置に戻り操作性がきわめて良好である。
【００２３】
【発明の効果】
本発明においては、大型サイズの用紙でも第１トレイと第２トレイとに跨った状態でストック可能となり、操作性が大幅に向上した。さらに、第２トレイはコピー用紙をストックする機能以外に、本体上カバーを支える機能を備え持ち、しかも本体上カバーを全開位置で支持させた後、その本体上カバーを持ち上げれば自動的にストック位置に戻ることができる。
【図面の簡単な説明】
【図１】本発明に係る画像形成装置の一例としてジアゾ複写機を示す外観斜視図である。
【図２】図１に示す複写機の裏面側の外観斜視図である。
【図３】図１に示す複写機の側面図である。
【図４】図１に示す複写機の本体上カバーを中間位置まで開いた状態を示す側面図である。
【図５】第２トレイを示す斜視図である。
【図６】第２トレイを示す側面図である。
【図７】図１に示す複写機の本体上カバーを全開した状態を示す側面図である。
【符号の説明】
１  複写機本体
４  コピー排出口
５  第１トレイ
６  本体上カバー
７  第２トレイ
８  後部側板
１０  回動支点
【図１】
0003648035.tif 000002
【図２】
0003648035.tif 000003
【図３】
0003648035.tif 000004
【図４】
0003648035.tif 000005
【図５】
0003648035.tif 000006
【図６】
0003648035.tif 000007
【図７】
0003648035.tif 000008